(57)【要約】【課題】回転円盤形磁気フィルタで被処理水から分離捕捉した磁性凝集体の洗浄効果を高めて処理水の水質向上を図った磁気分離装置及びそれを使用した浄水装置を提供する。【解決手段】回転円盤形磁気フィルタ３の上下部にそれぞれ配置した散水管１１aおよび散水管１１ｂは、回転円盤形磁気フィルタ３の中心軸に対して放射状に設けた仕切り板１２６と同様にそれぞれ放射状に配置し、回転円盤形磁気フィルタ３の上方から洗浄水を供給する散水管１１aをその下方から洗浄水を供給する散水管１１ｂよりも回転円盤形磁気フィルタ３の回転方向にずれた位置に配置し、散水管１１aと散水管１１bの回転円盤形磁気フィルタ３における回転方向の開き角度は、同じ一つの扇形状マトリックス群を同時に散水させることがないように、回転円盤形磁気フィルタ３の放射線状に等分配置した複数の仕切り板１２６の間隔よりも大きくした。【選択図】図２
2005262046.tif 000002
【特許請求の範囲】
【請求項１】
汚濁物と磁性粉とを凝集した磁性凝集体を含む被処理水を下方より導水する通水管の周囲に空心ソレノイド形マグネットを設け、前記空心ソレノイド形マグネットの磁気力を受けて被処理水中の磁性凝集体を吸着するように前記通水管に各扇形状マトリックス群を対応させて前記空心ソレノイド形マグネットと異なる回転軸を中心にして回転可能な回転円盤形磁気フィルタを配置し、この回転円盤形磁気フィルタの前記各扇形状マトリックス群における前記空心ソレノイド形マグネットから離れた位置の下部に集泥容器を配置し、前記各扇形状マトリックス群で吸着した磁性凝集体を洗浄する洗浄水を供給して前記集泥容器の上流側受け入れ口から洗浄水を回収する洗浄手段を備えた磁気分離装置において、前記洗浄手段は、前記回転円盤形磁気フィルタの上面側から洗浄水を供給する散水管と、前記回転円盤形磁気フィルタの下面側から洗浄水を供給する散水管とを有して構成したことを特徴とする磁気分離装置。
【請求項２】
請求項１記載のものにおいて、前記集泥容器の前記各扇形状マトリックス群に対応した洗浄水の上流側受け入れ口を共通にして、この上流側受け入れ口の範囲内で、前記回転円盤形磁気フィルタの回転方向にずらして前記両散水管を配置したことを特徴とする磁気分離装置。
【請求項３】
請求項１記載のものにおいて、前記回転円盤形磁気フィルタの上面側から浄化水を供給して洗浄する前記散水管は、前記回転円盤形磁気フィルタの下面側から浄化水を供給して洗浄する前記散水管よりも前記回転円盤形磁気フィルタの回転方向にずらして配置したことを特徴とする磁気分離装置。
【請求項４】
請求項１記載のものにおいて、前記回転円盤形磁気フィルタは、その回転軸に対してほぼ放射状に配設した複数の仕切り板間にそれぞれ扇形状マトリックス群を配置して構成し、前記複数の仕切り板は、前記回転円盤形磁気フィルタの回転方向に等分間隔で配置し、前記回転円盤形磁気フィルタの上面側から洗浄水を供給して洗浄する前記散水管と、前記回転円盤形磁気フィルタの下面側から洗浄水を供給して洗浄する前記散水管とは、前記回転円盤形磁気フィルタの前記回転軸に対してそれぞれほぼ放射状に配置すると共に、隣接する二つの前記仕切り板の間隔よりも大きく隔てて配置したことを特徴とする磁気分離装置。
【請求項５】
汚濁成分を含んだ原水を取水する取水手段と、前記取水手段が取水した原水に凝集剤を注入する添加剤注入手段と、前記凝集剤の注入により汚濁物と磁性粉とが凝集された磁性凝集体を形成するフロック形成手段と、前記磁性凝集体を含んだ原水から前記磁性凝集体を分離濃縮する磁気分離手段と、前記磁性凝集体が除かれた原水を浄化水として放流する浄化手段と、前記濃縮された磁性凝集体を磁性粉と汚濁物の汚泥とに分離して磁性粉を回収する磁性粉回収再利用手段とを備えた浄水装置において、前記磁気分離手段は、汚濁物と磁性粉とが凝集された磁性凝集体を含む被処理水を下方より導水する通水管の周囲に空心ソレノイド形マグネットを設け、その回転軸に対してほぼ放射状に配設した複数の仕切り板間にそれぞれ扇形状マトリックス群を配置して構成すると共に、前記空心ソレノイド形マグネットの磁気力を受けて被処理水中の磁性凝集体を吸着するように前記通水管に前記各扇形状マトリックス群を対応させて前記空心ソレノイド形マグネットと異なる前記回転軸を中心に回転可能に回転円盤形磁気フィルタを配置し、この回転円盤形磁気フィルタの前記各扇形状マトリックス群の他の下部に洗浄散水の上流側受け入れ口を有する集泥容器で前記各扇形状マトリックス群で吸着した磁性凝集体を洗浄する洗浄手段からの洗浄散水を受けるように構成し、前記洗浄手段は、前記回転円盤形磁気フィルタの上面及び下面方向からそれぞれ散水して洗浄する複数の散水管を有することを特徴とする磁気分離装置を用いた浄水装置。
【発明の詳細な説明】
【技術分野】
【０００１】
本発明は、磁気分離により汚濁物と磁性粉が凝集された磁性凝集体を含む被処理水を浄化する磁気分離装置及びそれを用いた浄水装置に関する。  
【背景技術】
【０００２】
従来から、流体中に混在する汚濁物質を浄化する技術に磁気分離技術があり、この種の磁気分離技術を応用して、海、河川、貯水池等の被処理水を連続的に浄化するために高勾配磁気フィルタを用いた磁気分離装置が公知である（例えば、特許文献１参照）。この装置では水処理する原水に対する磁気分離工程の前処理工程として、原水取水後に、例えば四三酸化鉄等の磁性粉と凝集剤の硫酸バン土やポリ塩化アルミニウムを加えて攪拌し、原水中の固形浮遊物や藻類、菌類、微生物などを凝集剤によって磁性粉と結合させ、コロイド状の多数の磁性を持った磁性凝集体としている。これらの磁性凝集体を効率的に分離するようにした磁気分離装置として、空心ソレノイド形超電導マグネットの上下の少なくとも片側に複数の扇形状マトリックス群を配置してなる回転円盤形磁気フィルタを配置し、被処理水を停止させることなく連続処理を可能にするとともに、超電導マグネットから離れた位置で吸着した磁性凝集体を分離するようにしたものが知られている（例えば、特許文献２及び特許文献３参照）。
【特許文献１】特開昭５９−３７１号公報
【特許文献２】特開２００１−９６１８８号公報
【特許文献３】特開２００２−１１９８８７号公報
【発明の開示】
【発明が解決しようとする課題】
【０００３】
しかしながら、従来の磁気分離装置は、回転円盤形磁気フィルタを回転させて高勾配磁気分離を連続的に行う場合、高速処理には回転円盤形磁気フィルタ部の磁気勾配を出来るだけ高く設定する必要があり、磁性細線で構成される磁気分離部の磁気勾配は極めて高く概略１０３Ｔ／ｍ程度になるが、その範囲は細線周囲の数ｍｍに限定されるので、効率的に磁気分離を行わせるためには細線を空間的に密に積層させて回転円盤形磁気フィルタを構成しなければならない。このような回転円盤形磁気フィルタを洗浄するためには、低磁場部において上面から水流により、あるいは下面からの空気吹きつけによって洗浄しているが、上述した積層構造のために洗浄手段から遠い距離にあるフィルタの下面の近くにおいては、洗浄水流が上部のマトリックスの抵抗によって弱められてしまい、この傾向は洗浄水流を変化させても発生してしまうことが分かった。結局、洗浄が不完全な回転円盤形磁気フィルタを使用すると磁気分離部の捕捉能力も低下し、処理水の水質低下の原因となってしまう。
【０００４】
本発明の目的は、回転円盤形磁気フィルタで被処理水から分離捕捉した磁性凝集体の洗浄効果を高めて処理水の水質向上を図った磁気分離装置及びそれを使用した浄水装置を提供することにある。
【課題を解決するための手段】
【０００５】
本発明はこの目的を達成するために、汚濁物と磁性粉とを凝集した磁性凝集体を含む被処理水を下方より導水する通水管の周囲に空心ソレノイド形マグネットを設け、前記空心ソレノイド形マグネットの磁気力を受けて被処理水中の磁性凝集体を吸着するように前記通水管に各扇形状マトリックス群を対応させて前記空心ソレノイド形マグネットと異なる回転軸を中心にして回転可能な回転円盤形磁気フィルタを配置し、この回転円盤形磁気フィルタの前記各扇形状マトリックス群における前記空心ソレノイド形マグネットから離れた位置の下部に集泥容器を配置し、前記各扇形状マトリックス群で吸着した磁性凝集体を洗浄する洗浄水を供給して前記集泥容器の上流側受け入れ口から洗浄水を回収する洗浄手段を備えた磁気分離装置において、前記洗浄手段は、前記回転円盤形磁気フィルタの上面側から洗浄水を供給する散水管と、前記回転円盤形磁気フィルタの下面側から洗浄水を供給する散水管とを有して構成したことを特徴とする。
【０００６】
また請求項２に記載の本発明は、請求項１記載のものにおいて、前記集泥容器の前記各扇形状マトリックス群に対応した洗浄水の上流側受け入れ口を共通にして、この上流側受け入れ口の範囲内で、前記回転円盤形磁気フィルタの回転方向にずらして前記両散水管を配置したことを特徴とする。
【０００７】
また請求項３に記載の本発明は、請求項１記載のものにおいて、前記回転円盤形磁気フィルタの上面側から浄化水を供給して洗浄する前記散水管は、前記回転円盤形磁気フィルタの下面側から浄化水を供給して洗浄する前記散水管よりも前記回転円盤形磁気フィルタの回転方向にずらして配置したことを特徴とする。
【０００８】
さらに請求項４に記載の本発明は、請求項１記載のものにおいて、前記回転円盤形磁気フィルタは、その回転軸に対してほぼ放射状に配設した複数の仕切り板間にそれぞれ扇形状マトリックス群を配置して構成し、前記複数の仕切り板は、前記回転円盤形磁気フィルタの回転方向に等分間隔で配置し、前記回転円盤形磁気フィルタの上面側から洗浄水を供給して洗浄する前記散水管と、前記回転円盤形磁気フィルタの下面側から洗浄水を供給して洗浄する前記散水管とは、前記回転円盤形磁気フィルタの前記回転軸に対してそれぞれほぼ放射状に配置すると共に、隣接する二つの前記仕切り板の間隔よりも大きく隔てて配置したことを特徴とする。
【０００９】
さらに請求項５に記載の本発明は、汚濁成分を含んだ原水を取水する取水手段と、前記取水手段が取水した原水に凝集剤を注入する添加剤注入手段と、前記凝集剤の注入により汚濁物と磁性粉とが凝集された磁性凝集体を形成するフロック形成手段と、前記磁性凝集体を含んだ原水から前記磁性凝集体を分離濃縮する磁気分離手段と、前記磁性凝集体が除かれた原水を浄化水として放流する浄化手段と、前記濃縮された磁性凝集体を磁性粉と汚濁物の汚泥とに分離して磁性粉を回収する磁性粉回収再利用手段とを備えた浄水装置において、前記磁気分離手段は、汚濁物と磁性粉とが凝集された磁性凝集体を含む被処理水を下方より導水する通水管の周囲に空心ソレノイド形マグネットを設け、その回転軸に対してほぼ放射状に配設した複数の仕切り板間にそれぞれ扇形状マトリックス群を配置して構成すると共に、前記空心ソレノイド形マグネットの磁気力を受けて被処理水中の磁性凝集体を吸着するように前記通水管に前記各扇形状マトリックス群を対応させて前記空心ソレノイド形マグネットと異なる前記回転軸を中心に回転可能に回転円盤形磁気フィルタを配置し、この回転円盤形磁気フィルタの前記各扇形状マトリックス群の他の下部に洗浄散水の上流側受け入れ口を有する集泥容器で前記各扇形状マトリックス群で吸着した磁性凝集体を洗浄する洗浄手段からの洗浄散水を受けるように構成し、前記洗浄手段は、前記回転円盤形磁気フィルタの上面及び下面方向からそれぞれ散水して洗浄する複数の散水管を有することを特徴とする。
【発明の効果】
【００１０】
本発明の磁気分離装置によれば、洗浄手段により回転円盤形磁気フィルタを洗浄する際、扇形状マトリックス群の上下に配置した散水管によりそれぞれ散水して行うようにしたため、従来のように洗浄手段から遠い距離にある回転円盤形磁気フィルタの下面の近くにおいても、洗浄水流が扇形状マトリックス群の抵抗によって弱められてしまうことなく吸引された磁性凝集体をきれいに洗浄させることができ、磁気分離性能を高め、長時間の運転に対しても性能を維持でき、かつ回転円盤形磁気フィルタ３のオ−バホ−ル清掃などのメンテナンス期間も大幅に延長することができる。
【００１１】
また請求項２に記載の本発明の磁気分離装置によれば、集泥容器の各扇形状マトリックス群に対応した洗浄散水の上流側受け入れ口を共通にして、この上流側受け入れ口の範囲内で、回転円盤形磁気フィルタの回転方向にずらして二本の散水管を配置したため、空心ソレノイド形マグネットの磁気力の影響を余り受けない位置に効率よく小型に洗浄手段を構成することができ、しかも、二本の散水管が隔てられているので、互いからの洗浄水の干渉を減少させて効果的に磁性凝集体の分離を行うことができる。
【００１２】
また請求項３に記載の本発明の磁気分離装置によれば、回転円盤形磁気フィルタに洗浄水を供給して洗浄する散水管は少なくとも二本であり、その上面側から散水して洗浄する散水管は、その下面側から散水して洗浄する散水管よりも回転円盤形磁気フィルタの回転方向にずらして配置したため、先ず、回転円盤形磁気フィルタの下面側から供給する洗浄水によって扇形状マトリックス群の下面に付着した磁性凝集体を剥離し、その後、回転円盤形磁気フィルタの上面側から供給する洗浄水によって扇形状マトリックス群の上面に付着した磁性凝集体を剥離すると共に、先に剥離した磁性凝集体を洗い流すことができ、磁性凝集体を残存させることなく効果的に除去することができる。
【００１３】
さらに請求項４に記載の本発明の磁気分離装置によれば、複数の仕切り板は、回転円盤形磁気フィルタの回転方向に等分間隔で配置し、回転円盤形磁気フィルタの上面側から洗浄水を供給する散水管と、回転円盤形磁気フィルタの下面側から洗浄水を供給する散水管とは、回転円盤形磁気フィルタの前記回転軸に対してそれぞれほぼ放射状に配置すると共に、隣接する二つの仕切り板の間隔よりも大きく隔てたため、仕切り板が二本の散水管間に位置する時点で、この仕切り板は両散水管からの洗浄水を区分して互いの間での干渉を阻止することになり、散水による各扇形状マトリックス群からの磁性凝集体の分離および洗い流しを一層効果的に行うことができる。
【００１４】
さらに請求項５に記載の本発明の磁気分離装置を用いた浄水装置によれば、磁気分離手段によって磁性凝集体をきれいに洗浄させることができ、磁気分離性能を高め、長時間の運転に対しても性能を維持でき、さらに、洗浄剥離した磁性凝集体が濃縮により減容化されることにより磁性粉回収処理や汚泥脱水などの後処理設備を小型化することもできる。また、磁性粉注入の低濃度化および磁性粉の回収再利用により、低コストで運転員の運転操作が簡素化された省スペ−ス、省エネルギ−でメンテナンスインタ−バルの長い浄水装置を提供することができ、湖沼など閉鎖水域のリン、浮遊固形物、植物プランクトンなどの浄化に好適である。
【発明を実施するための最良の形態】
【００１５】
以下、本発明の実施の形態を図面に基づいて説明する。
図１は、本発明の一実施の形態による超電導式磁気分離装置を示す縦断面図である。
真空断熱容器４内にはほぼ同心的に液体ヘリウム冷却式の空心ソレノイド形超伝導マグネット５が収納されており、この真空断熱容器４の上方部に、詳細に後述する強磁性体で構成した複数の扇形状マトリックス群１ａ〜１ｎが位置しながら回転すると共に、真空断熱容器４の中心軸とは異なる位置に中心軸２を有する回転円盤形磁気フィルタ３が配置されている。空心ソレノイド形超電導マグネット５の空心部内には通水管１０が配置され、この通水管１０の下部に接続した下部被処理水流入管７からは前処理で生成された磁性凝集体を含む被処理水６を導びいており、また通水管１０の上部には回転円盤形磁気フィルタ３の複数の扇形状マトリックス群１ａ〜１ｎを介して浄化水流出口８が接続され、被処理水６に含まれた磁性凝集体を扇形状マトリックス群１ａ〜１ｎで除去した後の浄化水を浄化水流出口８から流出するようにしている。
【００１６】
この回転円盤形磁気フィルタ３は、その水平断面図を図２に示すように中心軸２の外周部に環状の固定フィルタケース２０を有し、この固定フィルタケース２０に回転円盤形磁気フィルタ３が収納されている中心軸２に対して放射状に配置した複数の仕切り板１２６によって円周方向に等分分割した複数のセグメント１２７を形成し、この各セグメント１２７内に強磁性体で構成した各扇形状マトリックス群１ａ〜１ｎをそれぞれ装着して構成される。この回転円盤形磁気フィルタ３を中心軸２に連結した電動機９によって回転すると、回転円盤形磁気フィルタ３の環状部に配置した各扇形状マトリックス群１ａ〜１ｎが通水管１０の上部に順次位置することになる。この仕切り板１２６は後述する空心ソレノイド形超電導マグネット５と扇形状マトリックス群１ａ〜１ｎとの間で作用し合う磁気力によって、回転円盤形磁気フィルタ３をその回転軸２に対して水平に支持する役目も果たしている。また回転円盤形磁気フィルタ３は、変速可能な電動機９の駆動力により連続または断続で回転し、その回転中心である中心軸２はフィルタケース２０を貫通する部分の軸封機構により水漏れのない構造になっている。
【００１７】
空心ソレノイド形超電導マグネット５の空心部内に配置した通水管１０の上部には、図２に示したように回転円盤形磁気フィルタ３が回転しても、その各扇形状マトリックス群１ａ〜１ｎが常に対応配置されており、空心ソレノイド形超伝導マグネット５の磁気力によって被処理水６に含まれた磁性凝集体を同部の扇形状マトリックス群１ａ〜１ｎで吸着して分離するようにしている。さらに回転円盤形磁気フィルタ３が回転すると、空心ソレノイド形超伝導マグネット５の磁気力の影響が急速に低下する低磁場となり、その部分に吸着した磁性凝集体を扇形状マトリックス群１ａ〜１ｎから剥離して除去する洗浄手段が構成されている。この洗浄手段の下部には、真空断熱容器４に並置するように集泥容器１３が配置され、回転円盤形磁気フィルタ３に付着させた磁性凝集体を洗浄手段によって剥離した後に洗浄水と共に回収するようにしている。ここで集泥容器１３は、通水管１０よりも回転円盤形磁気フィルタ３の回転方向に例えば１８０度ずれた位置、つまり空心ソレノイド形超電導マグネット５の磁気力の影響をできるだけ受けない位置に配置され、図２に示したように回転円盤形磁気フィルタ３が回転したときでも磁性凝集体を捕捉した扇形状マトリックス群１ａ〜１ｎが常に対応するように配置されている。この集泥容器１３は、図１に示すように回転円盤形磁気フィルタ３の下部に位置し、さらにその下部に形成した送泥管１４を介して汚泥濃縮槽１５に接続されている。汚泥濃縮槽１５の上部には上澄水を回収する配管１７が接続され、この配管１７中に設けた流量調整弁１８を経て図示を省略した原水槽に接続されている。
【００１８】
上述した洗浄手段は、集泥容器１３に対応する回転円盤形磁気フィルタ３の上部に構成されており、この回転円盤形磁気フィルタ３との対向部に複数の散水口を有する散水管１１aと、また回転円盤形磁気フィルタ３の下方部には回転円盤形磁気フィルタ３との対向部に複数の散水口を有する散水管１１ｂとを備えている。この散水管１１aには、回転円盤形磁気フィルタ３で磁性凝集体を除去した浄化水を浄化水流出口８から取り込む洗浄用注水ポンプ２５の吐出し配管が流量計２６aと散水量調整弁２４aと逆止弁１９aを介して接続され、同様に散水管１１ｂには、洗浄用注水ポンプ２５の吐出し配管が流量計２６bと散水量調整弁２４bと逆止弁１９bを介して接続されている。洗浄手段に接続されて洗浄水を供給する洗浄水供給手段は、必ずしも浄化水流出口８から取り込む必要はなく、汚泥濃縮槽１５の上部の上澄水を洗浄用注水ポンプ２５によって取り込んでも良い。
【００１９】
また散水管１１aおよび散水管１１ｂは、図２に示すように回転円盤形磁気フィルタ３の仕切り板１２６と同様に回転円盤形磁気フィルタ３の中心軸２に対してそれぞれ放射状に配置し、しかも、回転円盤形磁気フィルタ３の上方から散水する散水管１１aは、回転円盤形磁気フィルタ３の下方から散水する散水管１１ｂよりも回転円盤形磁気フィルタ３の回転方向にずれた位置に配置されている。この散水管１１aと散水管１１bの回転円盤形磁気フィルタ３における回転方向の開き角度は、同じ一つの扇形状マトリックス群に対して同時に散水することがないようにしている。つまり、回転円盤形磁気フィルタ３を、その中心軸２に対して放射線状に配置した仕切り板１２６によって周方向にＮ等分して構成したとき、回転円盤形磁気フィルタ３の回転方向における二つの散水管１１aおよび散水管１１bの開き角度βは、β≧３６０／Ｎとし、例えばＮ＝１８の等分分割としたとき開き角度βは２０度以上となるようにしている。
【００２０】
このような基本構成を有する超電導式磁気分離装置は、空心ソレノイド形超電導マグネット５によるマトリックス群１の磁気吸引支持力を空心ソレノイド形超電導マグネット５の自重とバランスさせることにより、真空断熱容器４内に設けた空心ソレノイド形超電導マグネット５の図示を省略した支持構造に加わる力を低減することができ、これによって空心ソレノイド形超電導マグネット５の真空断熱容器４内の支持構造が簡素化され、空心ソレノイド形超電導マグネット５のイニシャルコストを低減することができる。また、空心ソレノイド形超電導マグネット５は、その空心軸の上側延長上に配置した回転円盤形磁気フィルタ３の扇形状マトリックス群１ａ〜１ｎに磁性粉の飽和磁束密度以上の高磁場を発生するようにし、さらに扇形状マトリックス群１ａ〜１ｎに高勾配磁場を確保できる網目構造磁性体を用いているため、低濃度、例えば被処理水汚泥濃度に対して５〜１０％の磁性粉注入量でも磁気分離が可能となり、ランニングコストの低減を図ることができる。さらに、空心ソレノイド形超電導マグネット５には図示を省略した電源と永久電流スイッチが接続されており、永久電流モードでの運転によりランニングコストの低減を図っている。また真空断熱容器１２には仕切弁２１を介して液体ヘリウムを注入するための注入口２２とヘリウムガスの安全弁２３が設けられている。
【００２１】
次に、上述した超電導式磁気分離装置による処理動作を説明する。
前処理で生成された磁性凝集体を含む被処理水６は、空心ソレノイド形超電導マグネット５の空心部内に配置した通水管１０内に下部被処理水流入管７から０．０５ｍ／ｓ〜０．１ｍ／ｓ程度の高流速で上向きに供給されて回転円盤形磁気フィルタ３に流入する。この被処理水６中に含まれた磁性凝集体は、回転円盤形磁気フィルタ３を通過するときに空心ソレノイド形超伝導マグネット５による高磁場の影響を強く受けた各扇形状マトリックス群１ａ〜１ｎで吸着され、その後の浄化水は浄化水流出口８から送り出される。磁性凝集体を吸着した扇形状マトリックス群１ａ〜１ｎを装着した回転円盤形磁気フィルタ３は、電源に接続された電動機９の駆動力を受けて中心軸２を中心にして図２の矢印方向に回転し、例えば当初、通水管１０側で磁性凝集体を吸着した扇形状マトリックス群１ｃは回転し、通水管１０側とは約１８０度反対側である空心ソレノイド形超電導マグネット５の磁気力の影響を余り受けない洗浄部にまで移動する。
【００２２】
この洗浄部まで移動してきた扇形状マトリックス群１ｃは、まず回転円盤形磁気フィルタ３の下側に配置した散水管１１bから洗浄水の散水を受ける。このときの散水管１１bからの洗浄水は、浄化水流出口８から流出した浄化水の一部を洗浄用注水ポンプ２５で取り込み、その吐出し配管から流量計２６ｂ、散水量調整弁２４ｂ、逆止弁１９ｂを介して供給されている。この散水管１１bからの散水によって、扇形状マトリックス群１ｃの下部に付着した磁性凝集体などの粒子群が剥離される。この散水後、回転円盤形磁気フィルタ３が同方向にさらに回転移動すると、扇形状マトリックス群１ｃは回転円盤形磁気フィルタ３の上側に配置した散水管１１aから洗浄水の散水を受けることになる。このときの散水管１１ａから洗浄水は、浄化水流出口８から流出した浄化水の一部を洗浄用注水ポンプ２５で取り込み、その吐出し配管から流量計２６a、散水量調整弁２４a、逆止弁１９aを介して供給される。この散水によって、扇形状マトリックス群１ｃの上部を洗浄すると共に、先に扇形状マトリックス群１ｃの下側に配置した散水管１１ｂによる散水により離脱されて扇形状マトリックス群１ｃ内を浮遊している磁性凝集体も洗い流され、集泥容器１３を経由してその下方に配置した汚泥濃縮槽１５に沈降流下する。
【００２３】
ここで、散水管１１aと散水管１１bの回転円盤形磁気フィルタ３における回転方向のずれは、上述したように同じ扇形状マトリックス群１ａ〜１ｃを同時に散水することがないように設定している。つまり、回転円盤形磁気フィルタ３は、その放射線状に配置した仕切り板１２６によってＮ等分したとき、回転円盤形磁気フィルタ３の回転方向における二つの散水管１１aおよび散水管１１bの開き角度βは、β≧３６０／Ｎとし、例えばＮ＝１８の等分分割とすると開き角度βとしては２０度以上としている。しかも、散水管１１aおよび散水管１１bは、上述したように回転円盤形磁気フィルタ３の仕切り版１２６と同様に放射状に配置しているため、回転円盤形磁気フィルタ３の回転によるある時点で散水管１１bと仕切り板１２６ａとは上下方向に合致し、その後、この仕切り板１２６ａは散水管１１aと散水管１１b間に移動することになる。このとき、この仕切り板１２６ａは散水管１１aからの散水と、散水管１１bからの散水とを分離し互いの間での干渉を阻止することになり、それぞれの散水管１１a，１１ｂによって設定した望ましい洗浄作用を受けることになり、洗浄水の散水による各扇形状マトリックス群１ａ〜１ｎからの磁性凝集体の分離および洗い流しを一層効果的に行うことができる。
【００２４】
また、散水管１１aおよび散水管１１bからの散水量については、図２に示したように散水管１１aおよび散水管１１bの開き角度βは、β≧３６０／Ｎとした場合、下側の散水管１１bからの散水量は上側の散水管１１aからの散水量に対して、８対２または７対３程度に少ない方がよいことが実験から明らかになった。これに対して、下側の散水管１１bからの散水量が上側の散水管１１aからの散水量よりも多い場合には、下側の散水管１１bからの散水によって離脱された磁性凝集体が扇形状マトリックス群１a〜１ｎの上面にまで移動して拡散してしまい、その後の上側の散水管１１aからの散水では十分にこれを除去することができず、後に通水管１０に対応させた位置で磁性凝集体を分離する際にこの拡散した磁性凝集体が処理水に流出することが観察された。従って、図示のような構成においては、下側の散水管１１bからの洗浄水の散水量は上側の散水管１１aからの散水量に比べて少なくするのが望ましい。
【００２５】
ただし、洗浄部における構成は種々考えられ、散水管１１aおよび散水管１１b以外にさらに散水管を付加したり、それらの流水量、流速、散水角度など様々に変化させたり、各散水管の開き角度を任意に設定することができる。このような解決手段は、回転円盤形磁気フィルタ３が、網状磁性ステンレス鋼を縦、横、斜めもしくは同心形状あるいはそのいずれかの組合せで積層して構成した扇形状マトリックス群１ａ〜１ｎを有しており、しかも空心ソレノイド形超電導マグネット５によって磁性凝集体を吸着しやすい太さに設定すると、扇形状マトリックス群１ａ〜１ｎの一方の端面近くでの磁性凝集体の剥離が難しくなるという新たな現象に基づくものであり、上側の散水管１１aもしくは下側の散水管１１ｂからの散水単独では実現することができない。また洗浄部での洗浄水としては、浄化水流出口８から流出した浄化水の一部を洗浄用注水ポンプ２５で取り込んだり、汚泥濃縮槽１５の上澄み水を洗浄用注水ポンプ２５で取り込んで使用したり、両者を付加して使用したりすることもできる。
【００２６】
上述したように散水管１１aおよび散水管１１bから扇形状マトリックス群１a〜１ｎに付着した磁性凝集体を剥離するために散水した洗浄水は、集泥容器１３を経由してその下方に配置した汚泥濃縮槽１５に沈降流下する。この集泥容器１３は、図２に示したように回転円盤形磁気フィルタ３の各扇形状マトリックス群１a〜１ｎに対応した位置の下部に配置し、しかも、この集泥容器１３における洗浄水の上流側受け入れ口を回転円盤形磁気フィルタ３の回転方向に引き延ばして変形させており、このようにして各散水管１１a，１１ｂに対して共通の集泥容器１３としている。従って、各散水管１１a，１１ｂは互いに所定距離隔てて配置することになったとしても、この共通の集泥容器１３における洗浄水の上流側受け入れ口の範囲内に各散水管１１a，１１ｂを配置するようにしている。このように少なくとも上下方向から磁性凝集体を剥離するための散水を行う散水管１１a，１１ｂを配置した場合、この集泥容器１３における散水の上流側受け入れ口の範囲内でこれらの散水管１１a，１１ｂを回転円盤形磁気フィルタ３の回転方向にずらして配置することによって、空心ソレノイド形超電導マグネット５の磁気力の影響を余り受けない位置に小型で効率的に構成することができ、効果的に磁性凝集体の分離濃縮を行う磁気分離装置とすることができる。この集泥容器１３における洗浄水の上流側受け入れ口は、図２の形状に限らず形成することができる。
【００２７】
また上述した洗浄部においては、真空断熱容器４の外周に設けられた鉄シールド１２によって超電導マグネット５による磁場強度が低減されており、各扇形状マトリックス群１ａ〜１ｎに付着した磁性凝集体などの粒子群を容易に分離させることができるようにしている。各扇形状マトリックス群１ａ〜１ｎの構造は、網状磁性ステンレス鋼が縦、横、斜めもしくは同心形状あるいはそのいずれかの組合せで積層された構造として高勾配磁場の確保を可能とし、これによって超電導マグネット５の発生磁場を空心ソレノイド形超電導マグネット５の空心軸延長上に位置している扇形状マトリックス群１ａ〜１ｎで磁性粉の飽和磁束密度を、約０．５Ｔ以上の磁場とし、高勾配磁気分離装置を実現することができる。
【００２８】
また洗浄部で、各扇形状マトリックス群１ａ〜１ｎから剥離した磁性凝集体などの粒子群は、洗浄部下方に配置した集泥容器１３で集泥され、送泥管１４を通って汚泥濃縮槽１５に流下し、そこで沈降濃縮された汚泥は汚泥引抜き口１６から引抜くことができる。扇形状マトリックス群１ａ〜１ｎを有する回転円盤形磁気フィルタ３を真空断熱容器４の上部に配置しているため、集泥容器１３及び汚泥濃縮槽１５を真空断熱容器４に略平行に並置することができ、回転円盤形磁気フィルタ３を空心ソレノイド形超電導マグネット５の下側に配置する場合に比べて装置全体の高さを抑え、汚泥濃縮槽１５の高さも大きくとれるので汚泥濃縮度をより高めることができる。汚泥濃縮槽１５のオーバーフロー取出し口１７からは粒子群が沈降分離された上澄み水を取出すことができ、集泥容器１３から汚泥濃縮槽１５への流下量はオーバーフロー調整弁１８の調整と汚泥引抜き口１６からの引抜き量調整により調節することができる。この場合、集泥容器１３から汚泥濃縮槽１５への流下量は洗浄用注水ポンプ２５の吐出し配管の途中に設けた流量調整弁２４a、２４ｂで調整される吐出し量以上になるように汚泥濃縮槽１５のオ−バフロ−量及び汚泥引抜き量を調整する。このような流量バランス調整により、離脱された磁性凝集体の濃縮槽１５への流下率を高く確保することができる。また、集泥容器１３の側壁の傾斜角度は沈降する粒子の安息角よりも大きな角度をとることにより、粒子群は集泥容器１３内に堆積することなく汚泥濃縮槽１５へ沈下させることができる。また、汚泥濃縮槽１５も濃縮粒子の安息角より大きな角度をとることにより、重力によって濃縮された汚泥を汚泥引抜き口１６から取り出すことができる。
【００２９】
電動機９は、空心ソレノイド形超電導マグネット５から距離を離して配置し、例えばチェーンやベルトやシャフトなどを介して回転円盤形磁気フィルタ３を駆動してもよい。真空断熱容器４には仕切弁２１を介して液体ヘリウムを注入するための注入口２２とヘリウムガスの安全弁２３が設けられており、空心ソレノイド形超電導マグネット５がクエンチしたときなどは、ヘリウムガスは安全弁２３に接続されている導管を通って安全な場所へ放出される。洗浄部の散水管１１aおよび散水管１１b中に設けた散水量調整弁２４a、２４bと逆止弁１９a、１９bの位置はそれぞれ逆でも支障はない。
【００３０】
以上説明した磁気分離装置では、低磁場部の洗浄部において回転円盤形磁気フィルタ３を洗浄する際、扇形状マトリックス群１ａ〜１ｎの上下にそれぞれ配置した散水管１１ａ、１１ｂにより洗浄水を供給して行うようにしたため、従来のように洗浄手段から遠い距離にある回転円盤形磁気フィルタ３の下面の近くにおいても、洗浄水流が扇形状マトリックス群１ａ〜１ｎの抵抗によって弱められてしまうことなく吸引された磁性凝集体をきれいに洗浄させることができ、磁気分離性能を高め、長時間の運転に対しても性能を維持でき、かつ回転円盤形磁気フィルタ３のオ−バホ−ル清掃などのメンテナンス期間も大幅に延長することができる。さらに、洗浄剥離した磁性凝集体が濃縮により減容化されることにより磁性粉回収処理や汚泥脱水などの後処理設備を小型化することもできるので、イニシャルコスト、ランニングコストの低減が可能である。
【００３１】
また上述した磁気分離装置では、集泥容器１３における各扇形状マトリックス群１ａ〜１ｎに対応した洗浄水の上流側受け入れ口を共通にして、この上流側受け入れ口の範囲内で、回転円盤形磁気フィルタ３の回転方向にずらした少なくとも二本の散水管１１ａ，１１ｂを配置しているため、空心ソレノイド形超伝導マグネット５の磁気力の影響を余り受けない位置に効率よく小型に洗浄手段を構成することができ、それに合わせて二本の散水管１１ａ，１１ｂを隔てることができるので、互いから供給される洗浄水間の干渉を減少させて効果的に磁性凝集体の剥離を行うことができる。また、回転円盤形磁気フィルタ３の上面方向から洗浄水を供給する散水管１１ａは、回転円盤形磁気フィルタ３の下面方向から洗浄水を供給する散水管１１ｂよりも回転円盤形磁気フィルタ３の回転方向にずらして配置したため、先ず、回転円盤形磁気フィルタ３の下面方向から供給した洗浄水によって扇形状マトリックス群１ａ〜１ｎの下面に付着した磁性凝集体を剥離し、その後、回転円盤形磁気フィルタ３の上面方向から供給した洗浄水によって扇形状マトリックス群１ａ〜１ｎの上面に付着した磁性凝集体を剥離すると共に、先に剥離した磁性凝集体を洗い流すことができ、磁性凝集体を残存させることなく効果的に除去することができる。
【００３２】
また上述した磁気分離装置では、複数の仕切り板１２６は、回転円盤形磁気フィルタ３の回転方向に等分間隔で配置し、回転円盤形磁気フィルタ３の上面方向から散水して洗浄する散水管１１ｂと、回転円盤形磁気フィルタ３の下面方向から散水して洗浄する散水管１１ａとは、回転円盤形磁気フィルタ３の回転軸２に対してそれぞれほぼ放射状に配置すると共に、隣接する二つの仕切り板１２６の間隔よりも大きく隔てたため、仕切り板１２６ａが散水管１１ａと散水管１１ｂ間に位置する時点で、この仕切り板１２６ａは両散水管１１ａ，１１ｂからの散水を区分して互いの間での干渉を阻止することになり、散水による各扇形状マトリックス群１ａ〜１ｎからの磁性凝集体の分離および洗い流しを一層効果的に行うことができる。
【００３３】
図３は、上述した磁気分離装置を用いた浄水装置を示す系統図である。
この浄水装置は、大きく分けるとリン酸塩やアオコなどの汚濁物を含んだ原水を湖沼などから取水する取水手段と、この取水手段によって取水した原水を送水する送水手段と、取水手段によって取水した原水に磁性凝集体の生成に必要な添加剤を注入する添加剤注入手段と、この凝集剤の注入によって汚濁物と磁性粉とが凝集した磁性凝集体を形成するフロック形成手段と、原水から磁性凝集体を分離濃縮する磁気分離手段と、この磁気分離手段によって磁性凝集体を分離した浄化水を放流または希釈水として再利用する浄化水放流手段と、磁気分離手段によって分離した磁性凝集体を磁性粉と汚濁物とに分離して、分離した磁性粉を回収する磁性粉回収再利用手段と分離した汚濁物を減容化する脱水手段で構成している。
【００３４】
具体的に取水手段は、スクリーン２８、取水槽２９及び取水ポンプ３０などで構成され、リン酸塩、固形浮遊物などの汚濁物が含まれた原水３１はスクリーン２８を通過して取水槽２９に流下し、取水槽２９中に設置した取水ポンプ３０によって取水されて原水タンク３２に送られる。スクリーン２８では原水中に浮遊する粗大なゴミなどが予め除去され、除去されたゴミなどは廃棄処分される。取水ポンプ３０は水中ポンプであり、取水槽２９及び原水タンク３２にそれぞれ設けた水位計に連動して制御される。送水管３３は、取水ポンプ３０の吐出口から原水タンク３２に接続されており、その間には仕切弁と逆止弁が接続されている。
【００３５】
上述した送水手段は、原水タンク３２、原水攪拌機３４、送水ポンプ３５、送水管３６などで構成されており、原水タンク３２には取水手段で取水した原水と図１に示した濃縮槽１５の上澄水と汚泥脱水手段の分離水などの被処理水が流入し、原水攪拌機３４により汚濁物濃度の均一化および汚濁物の沈積防止を図っている。被処理水は原水タンク３２に導管で接続した送水ポンプ３５によって原水タンク３２から引抜かれ、送水ポンプ３５の吐出口に接続した送水管３６を通って添加剤注入手段、フロック形成手段を経て磁気分離手段に送られている。この送水管３６には、流量調整弁３７、逆止弁３８、流量計３９、濁度計４０、圧力計４１が接続されている。また、送水管３６は途中で分岐して被処理水の一部を原水タンク３２に戻すことで送水量の調整や原水タンク３２内の攪拌を行うこともでき、調整弁４２で調整された被処理水は戻り管４３を通って原水タンク３２に戻されており、この戻り管の途中には逆止弁が設けられて逆流が防止されている。送水ポンプ３５は原水タンク３２に設けた水位計によって運転制御されており、原水タンク３２の水位が異常低下した際にその運転を停止して送水ポンプ３５の故障などの事故を未然に防止する。
【００３６】
上述した添加剤注入手段は、磁性粉注入手段、無機凝集剤注入手段、ｐＨ調整剤注入手段および高分子凝集剤注入手段で構成されている。この磁性粉注入手段には磁性粉ホッパー４４、磁性粉フィーダ４５、希釈水注水管４６、磁性粉スラリー攪拌機４７が備えられており、磁性粉は磁性粉ホッパー４４に貯蔵され、磁性粉ホッパー４４から磁性粉ホッパー４４の下部に設けた磁性粉フィーダ４５によって磁性粉希釈タンク４８に投入する。希釈水は浄化水タンク４９から浄化水ポンプ５０により希釈水注水管４６を通って磁性粉希釈タンク４８に注入され、磁性粉希釈タンク４８に設けられた磁性粉スラリー攪拌機４７によって磁性粉と混合されて磁性粉スラリーを補充する。磁性粉ホッパー４４には磁性粉投入口５１と回収磁性粉移送手段５２が接続され、磁性粉を補充するようにしている。磁性粉フィーダ４５は磁性粉希釈タンク４８に設けた水位計と投入量積算計５３によって運転制御され、磁性粉希釈タンク４８の液面水位が所定の位置まで低下すると運転を開始し、投入量積算計５３で所定量が積算されると運転を停止する。
【００３７】
希釈水注入管４６には積算流量計５４と電磁弁５５が接続されており、この電磁弁５５は磁性粉希釈タンク４８の水位計と積算流量計５４によって運転制御され、磁性粉希釈タンク４８の液面水位が所定の位置まで低下したとき開いて注水を開始し、積算流量計５４で所定の流量が積算されたとき閉じて注水を停止する。また、磁性粉スラリー注入ポンプ５６は磁性粉希釈タンク４８の水位計によって運転制御され、この磁性粉希釈タンク４８の液面水位が異常低下したときに停止して磁性粉スラリー注入ポンプ５６の故障などの事故が未然に防止する。磁性粉ホッパー４４には図示していないがアーチブレーカーが設けられて乾燥空気が送られ、磁性粉を乾燥状態に維持し、ホッパ−内での詰まりを防止している。磁性粉フィーダ４５にはスクリューフィーダやテーブルフィーダを用いることができる。
【００３８】
無機凝集剤注入手段は、無機凝集剤貯留タンク５７に貯留した無機凝集剤を無機凝集剤注入ポンプ５８、無機凝集剤注入管５９で送水管３６に注入するためのものである。無機凝集剤貯留タンク５７には無機凝集剤攪拌機６０が設けられ、無機凝集剤貯留タンク５７内の無機凝集剤濃度の均一化や沈積防止が図られている。無機凝集剤注入ポンプ５８は容積式定量ポンプであり、無機凝集剤貯留タンク５７に設けた水位計によって運転制御され、無機凝集剤貯留タンク５７の液面水位が異常低下したときに停止して無機凝集剤注入ポンプ５７の故障などの事故を未然に防止する。また無機凝集剤注入量制御手段に無機凝集剤注入量調節機能を付加して無機凝集剤注入ポンプ５８に接続して、被処理水の汚濁物量に合わせて無機凝集剤注入量を制御することも可能である。無機凝集剤にはアルミニウム系や鉄系の無機凝集剤を用い、補充口６１から無機凝集剤貯留タンク５７に補充するようにしている。無機凝集剤注入管５９は逆止弁を介して送水管３６に接続している。
【００３９】
ｐＨ調整剤注入手段は、ｐＨ調整剤貯留タンク６２に貯留したｐＨ調整剤をｐＨ調整剤注入ポンプ６３、ｐＨ調整剤注入管６４で送水管３６に注入して被処理水のｐＨを凝集に適した値に調整している。ｐＨ調整剤貯留タンク６２にはｐＨ調整剤攪拌機６５が設けられ、ｐＨ調整剤貯留タンク６２内のｐＨ調整剤濃度の均一化と沈積防止を図っている。ｐＨ調整剤注入ポンプ６２は容積式定量ポンプであり、ｐＨ調整剤貯留タンク６２に設けた水位計によって運転制御され、ｐＨ調整剤貯留タンク６２の液面水位が異常低下したときに停止してｐＨ調整剤注入ポンプ６３の故障などの事故を未然に防止する。また、ｐＨ計とｐＨ調節計を用いてｐＨ調整剤注入ポンプの吐出量を制御することによって被処理水のｐＨ制御も可能である。ｐＨ調整剤には水酸化ナトリウム溶液や水酸化カルシウム溶液が用いられ、補充口６６からｐＨ調整剤貯留タンク６２に補充する。ｐＨ調整剤注入管６４は逆止弁を介して送水管３６に接続している。
【００４０】
高分子凝集剤注入手段は高分子凝集剤ホッパー６７、投入量積算計６８、高分子凝集剤フィーダ６９、高分子凝集剤溶解タンク７０，７１、高分子凝集剤攪拌機７２，７３、高分子凝集剤注入ポンプ７４，７５などで構成されている。高分子凝集剤は高分子凝集剤ホッパー６７に貯蔵されており、高分子凝集剤ホッパー６７から高分子凝集剤ホッパー６７の下部に設けられた高分子凝集剤フィーダ６９により高分子凝集剤溶解タンク７０，７１に投入され、希釈水は浄化水タンク４９から浄化水ポンプ５０により希釈水注水管７６または希釈水注水管７７を通って高分子凝集剤溶解タンク７０，７１に注入する。高分子凝集剤溶解タンク７０，７１では高分子凝集剤攪拌機７２または７３によって希釈水に高分子凝集剤が溶解される。高分子凝集剤の溶解には１時間程度の時間を要するため、高分子凝集剤溶解タンク７０，７１では溶解と貯留が交互に行われ、またタンクの容量はそれぞれ少なくとも１時間供給可能にされており、貯留されている側の高分子凝集剤溶解タンクから高分子凝集剤注入ポンプ７４，７５と高分子凝集剤注入管７６，７７によって送水管３６または汚泥脱水手段に注入するようにしている。
【００４１】
高分子凝集剤ホッパー６７には高分子凝集剤投入口７８から高分子凝集剤が補充される。高分子凝集剤フィーダ６９は高分子凝集剤溶解タンク７０またはタンク７１に設けた水位計と投入量積算計６８によって運転制御され、高分子凝集剤溶解タンク７０，７１の液面水位が所定の位置まで低下すると投入を開始し、投入量積算計６８で所定量が積算されると投入を停止する。また、高分子凝集剤フィーダ６９は投入先を切替えられる機構を有しており、投入先を高分子凝集剤溶解タンク７０，７１に切替えることができる。高分子凝集剤ホッパー６７には図示していないがアーチブレーカーが設けられ、乾燥空気が送られており、高分子凝集剤は常に乾燥状態に維持されている。また、高分子凝集剤ホッパー６７にはスクリューフィーダやテーブルフィーダが用いられる。希釈水注入管には積算流量計７９と電磁弁１２５が接続されており、電磁弁１２５は高分子凝集剤溶解タンク７０，７１の水位計と積算流量計７９によって制御され、高分子凝集剤溶解タンク７０，７１の液面水位が所定の位置まで低下すると開いて注水を開始し、積算流量計７９で所定の流量が積算されると閉じて注水を停止する。
【００４２】
さらに、希釈水注入管は希釈水注入管７６と希釈水注入管７７に分岐して高分子凝集剤溶解タンク７０，７１の水位計からの信号によって開閉する電磁弁８０，８１を介して高分子凝集剤溶解タンク７０，７１に接続され、電磁弁８０，８１は液面水位が所定の低水位位置まで低下したとき開いて希釈水を注入し、所定の高水位位置まで上昇したとき閉じて希釈水の注入を停止する。高分子凝集剤注入ポンプ７４，７５は容積式の定量ポンプであり、高分子凝集剤溶解タンク７０，７１の水位計の信号によって運転制御され、高分子凝集剤溶解タンク７０，７１の液面水位が異常低下したときに停止して高分子凝集剤注入ポンプ７４、７５の故障などの事故を未然に防止している。高分子凝集剤注入ポンプ７４，７５のそれぞれの吸込口は高分子凝集剤溶解タンク７０，７１に並列に接続されており、弁８２，８３を切替えて貯蔵が行われている高分子凝集剤溶解タンクを選択して高分子凝集剤を引抜くことができる。弁８２，８３には電磁弁や電動弁などが用いられ、高分子凝集剤溶解タンク７０，７１の水位計からの信号によって開閉制御が可能である。高分子凝集剤注入管７６，７７の管路の途中には逆止弁が接続され逆流が防がれている。また、市販されている高分子凝集剤自動溶解装置を用いることで、上述した高分子凝集剤注入手段の構成を簡素化することも可能である。
【００４３】
上述したフロック形成手段は、送水管３６が接続された急速攪拌機８４と緩速攪拌機８５で構成されており、急速攪拌機８４と緩速攪拌機８５に接続した導管には高分子凝集剤注入管７６が接続されて高分子凝集剤が注入される。添加剤注入手段により添加剤を注入した被処理水は、送水管３６を通って急速攪拌機８４に送られ、添加剤と汚濁物、例えば、固形浮遊物、リン酸塩類、大腸菌などのバクテリアなどが被処理水中に均一に分散されてマイクロフロックが生成された後、被処理水に高分子凝集剤が注入されて緩速攪拌機８５によって比較的大きなサイズの磁性凝集体が形成される。急速攪拌機８４には可動部がないスタティックミキサーが用いられ、緩速攪拌機１８５には所定容量の密閉攪拌槽と攪拌機が用いられるが、双方にスタティックミキサーを使用したり、管路式攪拌装置を用いることも可能である。
【００４４】
上述した磁気分離手段は、図１及び図２で説明した磁気分離装置によって構成され、磁性凝集体を含む被処理水は緩速攪拌機８５から磁気分離部の通水管１０に接続した導管８６によって磁気分離装置に送られて磁性凝集体を磁気分離した後、浄化水は導管８７を通って浄化水タンク４９に送られる。磁気分離装置で使用される洗浄用水は、加圧ポンプ８８から回転円盤形磁気フィルタ３の上下に配置された散水管１１a，１１bに送られ、洗浄水配管にはそれぞれ逆止弁１９a，１９bと流量調整弁２４a，２４bと流量計２６a，２６bが設けられている。磁気分離装置の濃縮槽１５から取出される上澄水は、濃縮槽１５の上澄水取出口から分離水タンク８９に接続した導管９０によって分離水タンク８９に送られ、導管９０の上澄水取出口側には流量計９１と調整弁１８が設けられて上澄水取出量を調整するようにしている。濃縮槽１５で濃縮されて減容した汚泥は磁性粉回収再利用手段に送られる。磁気分離装置の超電導マグネットの真空断熱容器の安全弁からのヘリウムガスは安全弁に接続された導管９２を通って放出口９３から大気に放出される。
【００４５】
磁気分離手段で得た浄化水は、湖沼などへの放流を主として、回転円盤形磁気フィルタ３の洗浄水の他、磁性粉や凝集剤の希釈水としても利用している。浄化水は、一旦浄化水タンク４９に貯留されて浄化水ポンプ５０と放流管９４によって放流される。放流管９４は管路の途中で希釈水送水管９５に分岐されて、浄化水の一部が添加剤注入手段の希釈水として利用されるようにしている。浄化運転開始前など浄化水タンク４９が空であったり水量が少ない場合は、浄化水タンク４９に水道水を必要量補充しておくことにより運転開始時の回転円盤形磁気フィルタ３の洗浄水及び希釈水を確保することができる。水道は水道水接続口９６に接続され、弁を介して浄化水タンク４９に注入される。放流管９４、希釈水移送管９５にはそれぞれ調整弁９７，９８が接続されており、放流管９４から希釈水移送管９５への浄化水分配圧力を調整することができ、逆止弁により逆流防止が図られている。
【００４６】
また、浄化水ポンプ５０と希釈水移送管９５の分岐点との間の管路には圧力計９９が設けられ、放流圧力を監視している。浄化水ポンプ５０は浄化水タンク４９に設けた水位計によって運転制御され、浄化水タンク４９の液面水位が異常低下したときに停止して浄化水ポンプ５０の故障などの事故を未然に防止する。その他、浄化水放流先水位が浄化水タンク４９よりも低かったりして放流に浄化水ポンプ５０が必要ない場合、浄化水ポンプ５０は希釈水送水用のみに用いて、放流は浄化水タンク４９からのオーバーフローを導管により放流先に自然流下させれば浄化水ポンプ５０を小型化することができ、さらに希釈水送水用にも浄化水ポンプ５０が必要ない場合、浄化水ポンプ５０は不必要となり、さらに装置を簡素化することができる。回転円盤形磁気フィルタ３の洗浄水も同様に浄化水タンクから洗浄水加圧ポンプによって送水される。洗浄水配管途中には洗浄流量計２６a，２６bや流量調整弁２４a，２４bや逆止弁１９a，１９bが配置されて、洗浄流量の調整や磁気分離装置本体からの逆流を防止している。
【００４７】
磁性粉回収再利用手段では、磁気分離手段における濃縮槽１５の下部から引抜かれた磁性凝集体の汚泥が磨砕機１００で磨砕されて汚濁物と磁性粉に分解された後、汚泥ポンプ１０１、汚泥移送管１０２によって磁選機１０３に送られ、この磁選機１０３を通過した汚泥は導管１０４を流下して汚泥タンク１０５に入り、磁選機１０３で回収された磁性粉は回収磁性粉移送手段５２を通って磁性粉ポッパー４４に補充されて再利用される。磨砕機１００にはホモミクサが用いられ、入口と出口をバイパスする導管１０６とその管路中の弁１０７により汚泥の一部を再循環させることができるので汚泥の分解力を高めることができる。また、ここでは磨砕機１００の後段に汚泥ポンプ１０１を設置しているが、汚泥ポンプ１０１の後段に磨砕機１０１を設置しても差し支えない。
【００４８】
濃縮槽１５から磨砕機１００、汚泥ポンプ１０１を経て磁選機１０３に送られる汚泥量は、汚泥移送管１０２に設けた弁又は汚泥ポンプ１０１の回転数を可変することによって調整される。磁選機１０３は永久磁石が埋め込まれた電動機駆動の回転円板と磨砕汚泥が入る分離槽と、円盤の永久磁石に吸着された磁性粉を掻き取るスクレーパーを備え、回転円板の一部分が分離槽の汚泥に浸されて回転し、分離槽に入った汚泥が反対側の溢流側に向かって流れて溢流するまでの間に回転円板の永久磁石で磨砕機１００で分解された磁性粉が吸着され、吸着した磁性粉は回転円板の回転とともに空気中に移動してスクレーパーで掻き取られ回収される。また、回転円板の外周と分離槽の内壁には攪拌翼が設けられており、回転円板が回転することで分離槽内の汚泥が攪拌されて磁性粉の沈積が防止されている。回収磁性粉移送手段５２には例えばスクリューフィーダやベルトコンベアなどを用いることができるが、磁選機１０３を磁性粉ホッパー４４の磁性粉投入口の真上に配置して、回収された磁性粉が重力落下で磁性粉ホッパー４４に投入されるようにすれば、回収磁性粉投入手段５２は不必要になって装置をさらに簡素化することができる。また、磁選機１０３を磁性粉希釈タンク４８の真上に配置して、回収された磁性粉が重力落下で磁性粉希釈タンク４８に投入されるようにしても、回収磁性粉投入手段５２を省略することができ、装置を簡素化することができる。
【００４９】
汚泥脱水手段は、汚泥脱水機１０８によって汚泥を脱水して減容化するとともに、汚泥運搬を容易にするために不可欠なものであり、汚泥は汚泥タンク１０５から汚泥供給ポンプ１０９、供給管１１０により汚泥脱水機１０８に供給される。汚泥脱水機１０８には添加剤注入手段からの高分子凝集剤注入管７７が接続されて高分子凝集剤が注入されており、脱水汚泥は汚泥排出口からシューター１１１に落とされて汚泥フィーダ１１２により汚泥回収容器１１３に移送され、分離水は導管１１４を通って分離水排出口から分離水タンク８９に流下して磁気分離手段の濃縮槽上澄水とともに分離水ポンプ１１５、導管１２６によって原水タンク３２に送られる。
【００５０】
汚泥供給ポンプ１０９はフリクトスイッチ付きの水中スラリーポンプで、汚泥タンク１０５の汚泥液面が異常低下したときには停止して汚泥供給ポンプ１０９の故障などの事故が未然に防止される。また、分離水ポンプ１１５はフリクトスイッチ付きの水中ポンプで、分離水タンク８９の水位が異常低下したときには停止して浄化水ポンプ１１５の故障などの事故が未然に防止される。汚泥供給管１１０の管路の途中にはスラリー流量計１１６と流量調整弁１１７が設けられている。また、分離水導管１２６の管路の途中には流量計１１８、弁１１９、逆止弁が接続されている。汚泥回収容器１１３に貯まった脱水汚泥１２０は、例えば廃棄物処分場など運搬されて処分されたり、また、コンポストの原料としてリサイクルすることができる。特に、鉄分を含有した磁性粉を使用し、それを回収再利用しない設備においては汚泥中の鉄分が含まれているので、鉄分が必要なセメントの原材料としてリサイクルすることもできる。
【００５１】
上述したタンク類には全てレベルゲージ、オーバーフロー管、ドレン管が設けられており、オーバーフローおよびドレンは全て排水溝に集められて、例えば下水に排水される。また、本実施例で用いているタンク類に鉄筋コンクリート製の水槽を用いることも可能である。図では制御盤が省略されているが本実施例を構成している機器や装置は全て制御盤から電源の供給を受け、運転操作やシーケンス制御が行われている。ここで、本設備の電力は通常の商用電源を利用してもよいし、特別にこの設備用として、風力発電、ソ−ラ−発電、バイオマス発電設備などの発電設備を設置してこれらを単独又は、組み合わせて供給することもできる。
【００５２】
以上説明した磁気分離装置を用いた浄水装置によれば、磁気分離手段によって磁性凝集体をきれいに洗浄させることができ、磁気分離性能を高め、長時間の運転に対しても性能を維持でき、さらに、洗浄剥離した磁性凝集体が濃縮により減容化されることにより磁性粉回収処理や汚泥脱水などの後処理設備を小型化することもできる。また、磁性粉注入の低濃度化および磁性粉の回収再利用により、低コストで運転員の運転操作が簡素化された省スペ−ス、省エネルギ−でメンテナンスインタ−バルの長い浄水装置を提供することができ、湖沼など閉鎖水域のリン、浮遊固形物、植物プランクトンなどの浄化に好適である。
【産業上の利用可能性】
【００５３】
上述した磁気分離装置は、図３に示した浄水装置以外の構成の浄水装置にも使用することができる。
【図面の簡単な説明】
【００５４】
【図１】本発明の一実施の形態による磁気分離装置を示す縦断面図である。
【図２】図１に示した磁気分離装置のＡ−Ａ線に沿った水平断面図である。
【図３】図１に示した磁気分離装置を用いた浄水装置の系統図である。
【符号の説明】
【００５５】
１，１ａ〜１ｎ  扇形状マトリックス群
２  中心軸
３  回転円盤形磁気フィルタ
４  真空容器
５  空心ソレノイド形超伝導マグネット
６  被処理水
９  電動機
１０  通水管
１１ａ，１１ｂ  散水管
１３  集泥容器
１５  濃縮槽
１２６  仕切り板
【図１】
2005262046.tif 000003
【図２】
2005262046.tif 000004
【図３】
2005262046.tif 000005